(57)【要約】      （修正有）【課題】  リリース操作を行った場合であっても、携帯端末から不用意に落下してしまうことを防止できる電池パックを提供する。【解決手段】  リリース可動爪５をスライド操作すると、リリース可動爪５によるリリース可動爪受部９に対する係合が解除されるので、電池パック収容部４に収容されている電池パック収容部４が開放バネ端子に押されて外れようとする。このとき、電池パック収容部４に設けられている脱落防止爪１０がリリース可動爪５に引っ掛かるので、電池パック収容部４が不用意に落下してしまうことを防止できる。このような状態で、電池パック収容部４を強く引っ張ると、脱落防止爪１０が変形してリリース可動爪５の先端を通過するので、電池パック収容部４を携帯型バーコードリーダから取外すことができる。【選択図】  図４
2006049194.tif 000002
【特許請求の範囲】
【請求項１】
携帯端末の電池パック収容部に収容された状態で動作電源を供給する取外し可能な電池パックであって、
一端側に設けられ、前記電池パック収容部に収容された状態で当該電池パック収容部に設けられた被係合部に係合する係合部と、
他端側に設けられ、前記電池パック収容部に収容された状態で前記携帯端末に設けられたリリース可動爪が係合するリリース可動爪受部と、
前記リリース可動爪による前記リリース可動爪受部に対する係合が解除されたときは、前記携帯端末に設けられた開放バネ端子により前記電池パック収容部から引き離される開放バネ受部と、
前記開放バネ端子から前記開放バネ受部が引き離し力を受けたときは、前記携帯端末から所定距離以上離間しないように制限すると共に、前記開放バネ端子が発生する引き離し力より大きな引き離し力を受けたときは上記制限を解除する脱落防止爪とを備えたことを特徴とする電池パック。
【請求項２】
前記脱落防止爪は、前記開放バネ端子から前記開放バネ受部が所定の引き離し力を受けたときは前記携帯端末の所定部位に引っ掛ると共に、前記開放バネ端子が発生する引き離し力より大きい引き離し力を受けたときは変形することにより上記所定部位から脱出することを特徴とする請求項１記載の電池パック。
【請求項３】
前記脱落防止爪は、弾性体から形成され、変形は屈曲であることを特徴とする請求項２記載の電池パック。
【請求項４】
前記脱落防止爪は、脱落防止用突起を有した弾性体から形成され、変形は前記脱落防止用突起の変位であることを特徴とする請求項２記載の電池パック。
【請求項５】
前記リリース可動爪を通過する際に変形した前記脱落防止爪を収容する収容凹部を備えたことを特徴とする請求項３または４記載の電池パック。
【発明の詳細な説明】
【技術分野】
【０００１】
本発明は、携帯端末から取外し可能な電池パックに関する。
【背景技術】
【０００２】
携帯端末では電池パックを装着し、その電池パックに充電した状態で使用可能となっている。この電池パックは携帯端末の端子ピンと接触する受部を備え、携帯端末に装着する際に、端子ピンが受部に押されて没入して受部に弾性的に接することにより、端子ピンと受部との間の導通が図られている。
【特許文献１】特開２００１−１１８５５２号公報
【発明の開示】
【発明が解決しようとする課題】
【０００３】
引用文献１に記載された電池パックは、携帯端末に装着する際に端子ピンが受部に摺接することがないことから、端子ピンを破損することなく電池パックを携帯端末に装着することができる。
ところで、引用文献１のものでは、電池パックを重力に逆らって取り出す向き（上向き）にした状態で電池パックをリリースすれば、電池が落下してしまうことはないが、電池パックを下向きでリリースした場合には、リリース操作を行ったとたんに電池パックが不用意に落下してしまい、電池パックを損傷してしまう虞がある。
【０００４】
本発明は上記事情に鑑みてなされたもので、その目的は、リリース操作を行った場合であっても、携帯端末から不用意に落下してしまうことを防止できる電池パックを提供することにある。
【課題を解決するための手段】
【０００５】
請求項１の発明によれば、携帯端末の電池パック収容部に電池パックが収容された状態では、電池パックの一端側に設けられた係合部は電池パック収容部の被係合部に係合していると共に、後端側に設けられたリリース可動爪受部はリリース可動爪により係合されている。このような状態で、リリース可動爪によるリリース可動爪受部に対する係合を解除すると、開放バネ端子により開放バネ受部が電池パック収容部から引き離される。これにより、電池パックを携帯端末から容易に取り外すことができる。
【０００６】
ここで、電池パックを下方に向けた状態でリリース可動爪によるリリース可動爪受部に対する係合を解除すると、開放バネ端子により開放バネ受部が電池パック収容部から引き離される。このとき、脱落防止爪により電池パックが携帯端末から所定距離以上離間しないように制限されるので、電池パックが携帯端末から不用意に落下してしまうことを防止できる。このような状態から電池パックを強く引っ張ると、開放バネ端子が発生する引き離し力より大きな引き離し力を受けるようになるので、脱落防止爪は、携帯端末から所定距離以上引き離されないよう制限する機能を解除するようになる。これにより、電池パックを携帯端末から取り外すことができる。
【０００７】
請求項２ないし４の発明によれば、脱落防止爪が携帯端末側に引っ掛ることにより、電池パックが携帯端末から不用意に落下してしまうことを防止できる。このような状態で、電池パックを強く引っ張ると、脱落防止爪が変形するようになるので、電池パックを携帯端末から取り外すことができる。
請求項５の発明によれば、変形した脱落防止爪を収容凹部に収容することができるので、脱落防止爪が電池パック側に大きく変形するにしても、その変形を許容することができる。
【発明を実施するための最良の形態】
【０００８】
（第１実施例）
以下、本発明を携帯型バーコードリーダに適用した第１実施例について図１ないし図７を参照して説明する。
図２は携帯型バーコードリーダの正面図である。この図２において、充電器１には携帯型バーコードリーダ（携帯端末に相当）２が載置されており、その載置状態で商用交流電源から携帯型バーコードリーダ２に充電するようになっている。つまり、充電器１及び携帯型バーコードリーダ２には図示しない接触端子がそれぞれ設けられおり、充電器１に携帯型バーコードリーダ２が載置された状態では、それらの接触端子同士が導通接触することにより携帯型バーコードリーダに内蔵された電池パック３（図３参照）に充電が行われるようになっている。
【０００９】
図３は、携帯型バーコードリーダ２に内蔵されている電池パック３を取外した状態で示す斜視図である。この図３において、携帯型バーコードリーダ２の筐体の裏側には凹状の電池パック収容部４が形成されており、その電池パック収容部４に電池パック３が収容される。即ち、電池パック収容部４の周縁部にはリリース可動爪５がスライド可能に設けられており、そのリリース可動爪５が図示しない付勢手段による付勢状態で電池パック収容部４に突出している。このリリース可動爪５に対するスライド操作によりリリース可動爪５を電池パック収容部４から退出可能となっている。携帯型バーコードリーダ２においてリリース可動爪５の下部となる部位には電池パック収容部４と連通した凹部６が形成されている。
【００１０】
電池パック３の前端部の下部中央には係合部７（図１参照）が前方に突出形成されており、その係合部７が電池パック収容部４の内面に形成された被係合部８に係合するようになっている。電池パック３の後端部にはリリース可動爪受部９が形成されており、そのリリース可動爪受部９にリリース可動爪５が係合するようになっている。
ここで、電池パック３の後端部にはゴム製の脱落防止爪１０が後方に突出して一体に設けられており、電池パック３が電池パック収容部４に収容された状態で、脱落防止爪１０がリリース可動爪５の下部に形成された凹部６内に位置している。電池パック３の後端部において脱落防止爪１０とリリース可動爪受部９との間となる部位には収納凹部１１が形成されている。
【００１１】
電池パック収容部４の底面には開放バネ端子１２が設けられており、電池パック３が電池パック収容部４に収容された状態で、その開放バネ端子１２が電池パック３の裏側に設けられた図示しない開放バネ受部に付勢状態で接触するようになっている。
【００１２】
次に上記構成の作用について説明する。
電池パック３が故障或いは寿命となったときは、電池パック３を次のようにして交換する。即ち、携帯型バーコードリーダ２に設けられたリリース可動爪５をスライド操作する。すると、リリース可動爪５による電池パック３のリリース可動爪受部９に対する係合が解除され、開放バネ端子１２による電池パック３の開放バネ受部に対する付勢力により電池パック３が携帯型バーコードリーダ２から離れようとする。このとき、電池パック３が携帯型バーコードリーダ２の上側に位置させた状態でリリース可動爪５をスライド操作したときは、開放バネ端子１２の付勢力により電池パック３の後端が上方に持ち上がるので、電池パック３を引っ張ることにより携帯型バーコードリーダ２から取り外すことができる。
【００１３】
これに対して、電池パック３を携帯型バーコードリーダ２の下側に位置させた状態でリリース可動爪５をスライド操作したときは、開放バネ端子１２で押された電池パック３が重力により不用意に落下してしまう。
しかしながら、電池パック３にはゴム製の脱落防止爪１０が突出して設けられているので、電池パック３が落下しかかったところで、図４に示すように脱落防止爪１０がリリース可動爪５に引っ掛るようになり、電池パック収容部４が携帯型バーコードリーダ２から不用意に落下してしまうことを防止できる。このような状態で、電池パック３を強く引っ張ると、図５に示すようにゴム製の脱落防止爪１０が屈曲し、リリース可動爪５の先端を通過するようになるので、電池パック３を携帯型バーコードリーダ２から取り外すことができる。
【００１４】
一方、例えば新しい電池パック３を携帯型バーコードリーダ２に取り付けるには、電池パック３の係合部７を携帯型バーコードリーダ２の電池パック収容部４の被係合部８に係合させた状態で電池パック３の後端部を押し込む。すると、図６に示すように脱落防止爪１０がリリース可動爪５に引っ掛るので、電池パック３の後端部を強く押し込むと、図７に示すように脱落防止爪１０がリリース可動爪５の先端を通過する。これにより、図１に示すようにリリース可動爪５を電池パック３のリリース可動爪受部９に係合するようになるので、電池パック３を携帯型バーコードリーダ２に取り付けることができる。
【００１５】
このような実施例によれば、電池パック３にゴム製の脱落防止爪１０を設け、リリース可動爪５に対するスライド操作により電池パック３を携帯型バーコードリーダ２から取り外す際に、脱落防止爪１０がリリース可動爪５に引っ掛かるようにしたので、リリース可動爪をスライド操作すると、電池パックが不用意に落下してしまう虞がある従来例のものと違って、リリース可動爪５をスライド操作するにしても、電池パック３が携帯型バーコードリーダ２から不用意に落下して損傷してしまうことを防止できる。
しかも、このような優れた効果は、主に電池パック３の改造により実施することができるので、低コストで容易に実施することができる。
【００１６】
（第２実施例）
次に本発明の第２実施例について図８ないし図１３を参照して説明するに、第１実施例と同一部分には同一符号を付して説明を省略する。この第２実施例は、携帯型バーコードリーダ２において電池パック３に設けた脱落防止爪１０を引っ掛ける部位を変更したことを特徴とする。
電池パック３の後端部には２個の脱落防止爪１０が設けられていると共に、電池パック収容部４の壁面部においてリリース可動爪５の両側となる部位には電池パック収容部４と連通した凹部２１が形成されており、電池パック３が電池パック収容部４に装着された状態では、図９に示すように脱落防止爪１０が凹部２１内に位置している。
リリース可動爪５をスライド操作すると、電池パック３が開放バネ端子１２により携帯型バーコードリーダ２から離れようとするものの、図１０に示すように脱落防止爪１０が凹部２１の壁面部に引っ掛かるようになるので、電池パック３が不用意に脱落してしまうことを防止できる。このような状態で電池パック３を強く引っ張ると、図１１に示すように脱落防止爪１０が屈曲して凹部２１の壁面部を通過するので、電池パック３を携帯型バーコードリーダ２から取り外すことができる。
【００１７】
また、電池パック３を携帯型バーコードリーダ２に装着すると、図１２に示すように電池パック３に設けられた脱落防止爪１０が凹部２１の壁面部に引っ掛かるので、電池パック３を強く押し込むと、図１３に示すように脱落防止爪１０が屈曲して電池パック収容部４の壁面部を通過して凹部２１内に位置する。これにより、電池パック３を携帯型バーコードリーダ２に取り付けることができる。
【００１８】
このような実施例によれば、電池パック３にゴム製の脱落防止爪１０を設け、リリース可動爪５に対するスライド操作により電池パック３を携帯型バーコードリーダ２から取り外す際に、脱落防止爪１０が携帯型バーコードリーダ２の凹部２１の壁面部に引っ掛かるようにしたので、第１実施例と同様に、電池パック３に設けられた脱落防止爪１０により電池パック３が携帯型バーコードリーダ２から不用意に落下して損傷してしまうことを防止できる。
【００１９】
（第３実施例）
次に本発明の第３実施例について図１４ないし図１６を参照して説明する。この第３実施例は電池パック３に脱落防止爪を設け、その脱落防止爪の変位を利用したことを特徴とする。
脱落防止爪を示す図１４において、脱落防止爪３１は、例えば板バネにより形成されており、その先端には、半球形状の脱落防止用突起３１ａが膨出形成されている。
【００２０】
電池パック３を携帯型バーコードリーダ２から取り外すためにリリース可動爪５をスライド操作すると、電池パック３のリリース可動爪受部９がリリース可動爪５を通過するものの、図１５に示すように脱落防止爪３１の脱落防止用突起３１ａがリリース可動爪５の先端に引っ掛るので、電池パック３が携帯型バーコードリーダ２から不用意に落下してしまうことを防止できる。このような状態で電池パック３を強く引っ張ると、図１６に示すように脱落防止用突起３１ａがリリース可動爪５の先端に押されて変位するので、脱落防止用突起３１ａがリリース可動爪５の先端を通過する。これにより、電池パック３を携帯型バーコードリーダ２から取り外すことができる。
【００２１】
一方、電池パック３の係合部７を携帯型バーコードリーダ２の被係合部８に係合した状態でその後端部を強く電池パック収容部４に押し付けると、脱落防止用突起３１ａがリリース可動爪５の先端に押されて変位し、脱落防止爪３１がリリース可動爪５の先端を通過するようになるので、電池パック３を携帯型バーコードリーダ２に取り付けることができる。
【００２２】
このような実施例によれば、バネ部材で形成された脱落防止爪３１を電池パック３に固定するだけで実施することができるので、第１実施例と同様に、低コストで容易に実施することができる。
本発明は、上記実施例に限定されることなく、次のように変形または拡張できる。
脱落防止爪１０，３１を電池パック３に対して着脱可能としてもよい。
脱落防止爪が変形するのに代えて、スライド可能に設けるようにしてもよい。
【図面の簡単な説明】
【００２３】
【図１】本発明の第１実施例における要部の断面を示す模式図
【図２】充電器に載置された状態で示す携帯型バーコードリーダの正面図
【図３】携帯型バーコードリーダからの取外し状態で示す電池パックの斜視図
【図４】取外し過程を示す電池パックの断面図（その１）
【図５】取外し過程を示す電池パックの断面図（その２）
【図６】装着過程を示す電池パックの断面図（その１）
【図７】装着過程を示す電池パックの断面図（その２）
【図８】本発明の第２実施例を示す図３相当図
【図９】図１相当図
【図１０】図４相当図
【図１１】図５相当図
【図１２】図６相当図
【図１３】図７相当図
【図１４】本発明の第３実施例を示す図１相当図
【図１５】図４相当図
【図１６】図５相当図
【符号の説明】
【００２４】
図面中、１は充電器、２は携帯型バーコードリーダ（携帯端末）、３は電池パック、４は電池パック収容部、５はリリース可動爪、７は係合部、８は被係合部、９はリリース可動爪受部、１０は脱落防止爪、１１は収納凹部、１２は開放バネ端子である。
【図１】
2006049194.tif 000003
【図２】
2006049194.tif 000004
【図３】
2006049194.tif 000005
【図４】
2006049194.tif 000006
【図５】
2006049194.tif 000007
【図６】
2006049194.tif 000008
【図７】
2006049194.tif 000009
【図８】
2006049194.tif 000010
【図９】
2006049194.tif 000011
【図１０】
2006049194.tif 000012
【図１１】
2006049194.tif 000013
【図１２】
2006049194.tif 000014
【図１３】
2006049194.tif 000015
【図１４】
2006049194.tif 000016
【図１５】
2006049194.tif 000017
【図１６】
2006049194.tif 000018